(57)【要約】【課題】ブラインド枠のルーバーの隙間から鈎形の金具や針金・紐などを通してロックを外そうとしても外すことができず、他の不正な手段でもロックを外すことができないブラインドの防犯用ロック装置を提供すること。【解決手段】扉を取り付けた開口枠１１に、ヒンジ１２を軸にして開閉可能に取り付けられたブラインド枠１３を、「閉」の状態でロックする防犯用ロック装置において、上記ブラインド枠１３の上下にピン１５を軸に回転可能に設けたロックレバー１６を引きバネＳにより付勢して取り付け、上記ロックレバー１６の作用点に中間リンク１８を介してロッド２２を延長し、このロッド２２の端に貫通孔２４を設けた板片２５を取り付け、上記ロックレバー１６の操作により板片２５に設けた貫通孔２４が重なり合ったとき、その貫通孔２４に落し込みピン２７が嵌り込みロックを解除状態にし、落し込みピン２７を引き抜くことにより引きバネＳの付勢によりロックレバー１６は掛金１７に嵌りロック状態になる。【選択図】図１
2006299714.tif 000002
【特許請求の範囲】
【請求項１】
扉・窓枠の側方に設けた開口枠（１１）に、ヒンジ（１２）を軸にして開閉可能に取り付けられたルーバブラインド枠（１３）（以下、単にブラインド枠という）を、「閉」の状態でロックする防犯用ロック装置において、上記ブラインド枠（１３）の上下にピン（１５）を軸に回転可能に設けたロックレバー（１６）をロック方向に付勢して取り付け、上記ロックレバー（１６）の作用点に中間リンク（１８）を介してロッド（２２）を延長し、このロッド（２２）の端に貫通孔（２４）を設けた板片（２５）を取り付け、上記ロックレバー（１６）の操作により板片（２５）に設けた貫通孔（２４）が重なり合ったとき、重なり合った貫通孔（２４）に落し込みピン（２７）が嵌り込むようにしてなることを特徴とするブラインドの防犯用ロック装置。
【請求項２】
上記中間リンク（１８）を介してロックレバー（１６）とロッド（２２）が連結された部分の、ブラインド枠（１３）側に引きバネ（Ｓ）の引っ掛け片（１９ｄ）を設け、この引きバネ（Ｓ）の引っ掛け片（１９ｄ）と、ロッド（２２）と中間リンク（１８）との連結ピン（２３）間に引きバネ（Ｓ）を掛け渡してなることを特徴とする請求項１に記載のブラインドの防犯用ロック装置。
【請求項３】
上記ロックレバー（１６）とその回転軸（１５）との間にトーションスプリングを介在させてなることを特徴とする請求項１に記載のブラインドの防犯用ロック装置。
【請求項４】
上記板片（２５）に設けた貫通孔（２４）が重なり合ったときに嵌り込む落し込みピン（２７）を貫通孔（２４）に向けて付勢してなることを特徴とする請求項１乃至３のいずれかに記載のブラインドの防犯用ロック装置。
【発明の詳細な説明】
【技術分野】
【０００１】
扉・窓枠の側方に設けた開口枠に取り付けられたブラインドの防犯用ロック装置に関する。
【背景技術】
【０００２】
高層集合住宅の出入り口にブラインド枠が設けられ、住宅の表から裏側に風が通り抜けるようにしたものが採用されている。このような玄関のドアー構造では人が出入りするだけのときはドアー部分だけで出入りしているが、引っ越しや大きい荷物の搬入・搬出の際はブラインド枠も開いて荷物を出し入れしやすくし、荷物の搬入・搬出後は、元の位置に戻してロックするようにしている。
【０００３】
上記ブラインド枠のロック機構は、「落とし込み」といわれる構造、例えば特許文献１にあげるようなものが採用されている。
【０００４】
【特許文献１】実開平４−１２３９９１号公報（要約および選択図）
【０００５】
上記従来のロック構造では、ブラインド枠のルーバーの隙間から、鈎形の金具、あるいは針金・紐などを通してロックを外される恐れがある。
【発明の開示】
【発明が解決しようとする課題】
【０００６】
上記従来技術の問題に鑑みこの発明は、ブラインド枠のルーバーの隙間から鈎形の金具や針金・紐などを通してロックを外そうとしても外すことができず、他の不正な手段でもロックを外すことができないブラインドの防犯用ロック装置を提供することを課題とする。
【課題を解決するための手段】
【０００７】
上記課題を解決するためにこの発明は、扉・窓枠の側方に設けた開口枠に、ヒンジを軸にして開閉可能に取り付けられたブラインド枠を、「閉」の状態でロックする防犯用ロック装置において、上記ブラインド枠の上下にピンを軸に回転可能に設けたロックレバーをロック方向に付勢して取り付け、上記ロックレバーの作用点に中間リンクを介してロッドを延長し、このロッドの端に貫通孔を設けた板片を取り付け、上記ロックレバーの操作により板片に設けた貫通孔が重なり合ったとき、重なり合った貫通孔に落し込みピンが嵌り込みロックを外せるようにしたものである。
【０００８】
また、この発明におけるブラインドの防犯用ロック装置は、上記中間リンクを介してロックレバーとロッドが連結された部分の、ブラインド枠側に引きバネ引っ掛け片を設け、この引きバネ引っ掛け片と、ロッドと中間リンクとの連結ピン間に引きバネを掛け渡すか、上記ロックレバーとその回転軸との間にトーションスプリングを介在させてなる。また、上記板片に設けた貫通孔が重なり合ったときに嵌り込む落し込みピンを貫通孔に向けて押しバネによって付勢するものである。
【発明の効果】
【０００９】
上記の如く構成するこの発明によれば、ブラインド枠に設けたロックレバーを同時に操作し、ロッドの先に取り付けた板片に設けた貫通孔が重なり合ったとき、重なり合った貫通孔に落し込みピンが嵌らなければロックを外すことができない。従って不法侵入を完全にシャットアウトすることができる。
【００１０】
一方、居住者は室内にいるので上下のロックレバーを容易に操作することができ、板片に設けた貫通孔が重なり合ったとき、その貫通孔に落し込みピンが嵌ってロックを外した状態を維持することができ、更に、ロック状態に戻すときは貫通孔に嵌った落し込みピンを抜くだけで引きバネあるいはトーションスプリングの付勢によりロック状態に戻すことができる。
【発明を実施するための最良の形態】
【００１１】
次に本発明の実施の形態を、図面を参照しながら説明する。図８は、開口枠１１にヒンジ１２を介してブラインド枠１３を取り付けた開閉動作を現す水平断面図で、Ｗは壁、１２はヒンジ、１３はブラインド枠、１４は扉枠、４１は網戸、４２はルーバー支持体、４３ルーバー操作機構を示す。
【００１２】
図１乃至４に示すように、ブラインド枠１３の上下には、ピン１５を軸に回転可能にロックレバー１６が取り付けられ、このロックレバー１６は、開口枠１１（図８参照）側に取り付けられた掛金１７に掛かる方向、即ちロックする方向に引きバネＳにより付勢されている。
【００１３】
ブラインド枠１３の上下外面には、図５に示す基板１９ａ、中板１９ｂ、カバー１９ｃからなる支持部材１９がビスネジにより取り付けられ、ピン１５によりロックレバー１６が回転自在に支持され、このロックレバー１６の作用点に設けられたピン２０には中間リンク１８が連結されている。
【００１４】
中板１９ｂと基板１９ａには長孔２１ａ，２１ｂが設けられ、この長孔２１ａ，２１ｂには、角筒形のブラインド枠１３内を上下から延びてきたロッド２２（図５参照）の端に植え込まれた連結ピン２３が貫通し、上記中間リンク１８の他端に連結し、連結ピン２３と基板１９ａの端に植え込まれた引っ掛け片１９ｄとの間に引きバネＳを掛け渡し、ロッド２２とともにロックレバー１６をロック方向に付勢している。
【００１５】
角筒形のブラインド枠１３内を上下から延びてきたロッド２２の端には、図７に示すように短い長孔の貫通孔２４を設けた板片２５が、角筒形のブラインド枠１３の長孔貫通孔２６を突き抜けて溶着されている。なお、板片２５に形成した段部２５ｂは、角筒形のブラインド枠１３の肉厚より僅かに大きくしている。
【００１６】
角筒形のブラインド枠１３の外面には図６に示すように、上記板片２５に設けた貫通孔２４が重なり合ったときに嵌る落し込みピン２７を保持するボックス２８がビスネジにより取り付けられ、ボックス２８内には落し込みピン２７およびノブ２９と一体の摺動片３０が空所３１に装入されスプリング３２により付勢されている。なお、ボックス２８の蓋２８ｂには切り込み２８ｃを形成してノブ２９が蓋２８ｂの外に突き出て、外から操作できるようになっている。
【００１７】
なお、上記実施の形態では、ロックレバー１６の付勢に引きバネＳを採用したが、これに代えてロックレバー１６とピン１５との間に、図示しないトーションスプリングを介在させることができ、また、落し込みピン２７を手動で操作するようにしてもよい。
【００１８】
次に操作について説明する。上下のロックレバー１６を引きバネＳの付勢に抗して図３のように掛金１７から外して起こすと、ロックレバー１６の作用点の運動は中間リンク１８を経てロッド２２に伝わり、ロッド２２の端に取り付けた板片２５の貫通孔２４は重なり合うこととなり、この重なり合った貫通孔２４にスプリング３２により付勢された落し込みピン２７が嵌り込んでロックを解除した状態が固定される。
【００１９】
ブラインド枠１３をロック状態にするには、ノブ２９を摘み、上記落し込みピン２７をスプリング３２の付勢に抗して貫通孔２４から引き抜くと、引きバネＳの付勢によりロッド２２とともにロックレバー１６がロック方向に回転し、掛金１７に嵌ってブラインド枠１３はロックされる。
【産業上の利用可能性】
【００２０】
上記の如く構成するこの発明によれば、ブラインド枠の上下にロックレバーが設けられ、このロックレバーを同時に操作しなければロックを解除することができない。即ち室内からでなければ操作できない構造になっているので不審者を完全にシャットアウトすることができる。
【図面の簡単な説明】
【００２１】
【図１】ブラインドの防犯用ロック装置のロック状態の（ａ）主要部正面図、（ｂ）同一部切り欠き側面図
【図２】図１の詳細で（ａ）は正面図、（ｂ）は側面図
【図３】ブラインドの防犯用ロック装置のロック解除状態の（ａ）主要部正面図、（ｂ）同一部切り欠き側面図
【図４】図３の詳細で（ａ）は正面図、（ｂ）は側面図
【図５】ロックレバーに中間リンクを介してロッドを連結する部分の分解斜視図
【図６】ロッドへの板片の融着、板片の貫通孔に嵌る落し込みピン、落し込みピンを収容するボックス部分の分解斜視図
【図７】落し込みピンが板片の貫通孔に嵌る状態の説明図で（ａ）は落し込みピンが嵌った状態の側面図、（ｂ）は（ａ）の正面図、（ｃ）は落し込みピンが抜けた状態の側面図、（ｄ）は（ｃ）の正面図
【図８】ヒンジによるブラインド枠取り付け部の水平断面図
【符号の説明】
【００２２】
１１  開口枠
１２  ヒンジ
１３  ブラインド枠
１４  扉枠
１５  ピン（ロックレバー回転軸）
１６  ロックレバー
１７  掛金
１８  中間リンク
１９  支持部材、
１９ａ  基板
１９ｂ  中板
１９ｃ  カバー
１９ｄ  引っ掛け片
２０  ピン（ロックレバー作用点の）
２１ａ、２１ｂ  長孔
２２  ロッド
２３  連結ピン（ロッドの端の）
２４  貫通孔（板片の）
２５  板片
２５ｂ  段部
２６  長孔貫通孔
２７  落し込みピン
２８  ボックス
２８ｂ  蓋
２８ｃ  切り込み
２９  ノブ
３０  摺動片
３１  空所
３２  スプリング
４１  網戸
４２  ルーバー支持体
４３  ルーバー操作機構
Ｓ  引きバネ
Ｗ  壁
【図１】
2006299714.tif 000003
【図２】
2006299714.tif 000004
【図３】
2006299714.tif 000005
【図４】
2006299714.tif 000006
【図５】
2006299714.tif 000007
【図６】
2006299714.tif 000008
【図７】
2006299714.tif 000009
【図８】
2006299714.tif 000010